(57)【要約】【課題】リーク電荷に基づくアーチファクトの補正を行う放射線画像処理装置において、高速に放射線画像信号を取得可能にする。【解決手段】通常ではゲートライン４ａから４ｅまで順に、各ゲートラインに接続されている検出素子を構成するトランジスタスイッチＴｒについてオン状態とオフ状態とを切り替えながら、各ゲートライン毎にＧａｔｅＯｎ信号およびＧａｔｅＯｆｆ信号を取得するが、ＧａｔｅＯｆｆ信号については２ライン毎に取得するようにし、ＧａｔｅＯｆｆ信号を取得していないラインについては、その前後のラインのＧａｔｅＯｆｆ信号に基づいて補間した補間ＧａｔｅＯｆｆ信号を生成する。そして、放射線検出器１０６の一画面分のＧａｔｅＯｎ画像信号から、以上の手順により得られた一画面分のＧａｔｅＯｆｆ画像信号（補間ＧａｔｅＯｆｆ信号を含む）を差し引く。【選択図】図２
2011214886.tif 000002
【特許請求の範囲】
【請求項１】
照射された放射線量に基づいた電荷情報を蓄積容量に蓄積する複数の検出素子が二次元状に配列されるとともに、横列毎に読出しのオンオフ制御がなされ、縦列毎に同一の信号線から前記電荷情報が読み出される放射線検出器と、
前記検出素子の読出しのオンオフ制御を行なうドライバ回路と、
前記信号線から出力された信号を読み出す読出回路と、
オン制御された検出素子から得られるオン制御電荷情報は各検出素子毎に取得するのに対し、オン制御された検出素子に対応するオフ制御電荷情報は所定素子間隔毎に取得するように、前記ドライバ回路および前記読出回路を制御する制御手段と、
所定素子間隔毎に取得したオフ制御電荷情報に基づいて未取得分のオフ制御電荷情報を補間した素子補間オフ制御電荷情報を生成するとともに、オン制御電荷情報を対応するオフ制御電荷情報もしくは素子補間オフ制御電荷情報により補正する補正回路とを備えてなることを特徴とする放射線画像処理装置。
【請求項２】
前記補正回路が、前記オフ制御電荷情報および前記素子補間オフ制御電荷情報に対してスムージング処理を行うとともに、スムージング後の前記オフ制御電荷情報もしくは前記素子補間オフ制御電荷情報により前記オン制御電荷情報を補正するものであることを特徴とする請求項１記載の放射線画像処理装置。
【請求項３】
照射された放射線量に基づいた電荷情報を蓄積容量に蓄積する複数の検出素子が二次元状に配列されるとともに、横列毎に読出しのオンオフ制御がなされ、縦列毎に同一の信号線から前記電荷情報が読み出される放射線検出器と、
前記検出素子の読出しのオンオフ制御を行なうドライバ回路と、
前記信号線から出力された信号を読み出す読出回路と、
複数フレームに渡って連続撮影を行なう際に、オン制御された検出素子から得られるオン制御電荷情報は各フレーム毎に取得するのに対し、オン制御された検出素子に対応するオフ制御電荷情報は所定フレーム間隔毎に取得するように、前記ドライバ回路および前記読出回路を制御する制御手段と、
所定フレーム間隔毎に取得したオフ制御電荷情報に基づいて未取得分のオフ制御電荷情報を補間したフレーム補間オフ制御電荷情報を生成するとともに、オン制御電荷情報を対応するオフ制御電荷情報もしくはフレーム補間オフ制御電荷情報により補正する補正回路とを備えてなることを特徴とする放射線画像処理装置。
【請求項４】
前記補正回路が、前記オフ制御電荷情報および前記素子補間オフ制御電荷情報に対してスムージング処理を行うとともに、スムージング後の前記オフ制御電荷情報もしくは前記素子補間オフ制御電荷情報により前記オン制御電荷情報を補正するものであることを特徴とする請求項３記載の放射線画像処理装置。
【発明の詳細な説明】
【技術分野】
【０００１】
本発明は、放射線検出器により放射線を検出して、放射線画像を取得する放射線画像処理装置において、特にリーク電荷に基づくアーチファクトの補正に関する。
【背景技術】
【０００２】
例えば、医療分野においては、放射線源から放射線を被写体（患者）に照射し、被写体を透過した放射線を放射線検出器で検出して処理することにより、放射線画像情報を取得する放射線画像処理装置が広汎に使用されている。取得された放射線画像情報は、表示装置を用いて表示することで診断等に利用される。
【０００３】
ここで、図２は、信号読出スイッチとして機能するＴＦＴ（Ｔｈｉｎ Ｆｉｌｍ Ｔｒａｎｓｉｓｔｏｒ）からなる多数の検出素子１１〜５５をマトリックス状に配列し、これらの検出素子１１〜５５の上にアモルファス・セレン（ａ−Ｓｅ）等の膜を蒸着してなる放射線検出器２の概略構成を示す。
【０００４】
検出素子１１〜５５には、ゲートドライバ回路３によって選択されるゲートライン４ａ〜４ｅと、信号読出回路５によって選択される信号ライン６ａ〜６ｅとが接続される。読出制御回路７からの制御信号に基づき、ゲートドライバ回路３によりゲートライン４ａ〜４ｅのいずれかを選択するとともに、信号読出回路５により信号ライン６ａ〜６ｅのいずれかを選択することで、特定された検出素子１１〜５５に蓄積された電荷情報が読み出される。
【０００５】
図３は、検出素子１１〜５５の１つを等価回路で示したものである。検出素子１１〜５５は、電源Ｂからバイアス電圧を印加する共通電極８、放射線Ｘを電荷信号に変換するａ−Ｓｅ等の変換層９、変換層９で発生した電荷を収集する画素電極１０、収集された電荷を蓄積するための蓄積容量Ｃ、および、蓄積容量Ｃに蓄積された電荷情報を外部回路に導出するためのトランジスタスイッチＴｒから構成される。なお、トランジスタスイッチＴｒのソース端子には、蓄積容量Ｃが接続され、ゲート端子には、ゲートライン４ａ〜４ｅが接続され、ドレイン端子には、信号ライン６ａ〜６ｅが接続される。
【０００６】
ここで、放射線検出器２に過剰な放射線Ｘが照射され、トランジスタスイッチＴｒがオフの状態のまま蓄積容量Ｃに大量の電荷が蓄積されると、ドレイン−ソース間の電圧が過剰に上昇して、トランジスタスイッチＴｒが破壊されてしまうおそれがある。
【０００７】
そこで、トランジスタスイッチＴｒをオンからオフにするときの制御電圧の遷移方向と同じ極性（負電圧）となるよう、電源Ｂから共通電極８に負電圧のバイアス電圧を印加するように設定している。この場合、放射線Ｘが照射されることで蓄積容量Ｃの電位Ｖｓが負電位側に降下し、負電位に設定されているゲート電位Ｖｇよりも低くなったとき、トランジスタスイッチＴｒが強制的にオンとなり、蓄積容量Ｃに蓄積された電荷が放電されることで、トランジスタスイッチＴｒの破壊が回避されることになる。
【０００８】
ところで、放射線検出器２を上記のように構成した場合、信号読出回路５を用いて各検出素子１１〜５５から電荷情報を読み出す際、放射線Ｘの照射が終了してから読み出しを開始するまでの経過時間が短いと、過剰な放射線Ｘが放射線検出器２に照射されてトランジスタスイッチＴｒが強制的にオンにされたときに、検出素子１１〜５５から放出されるリーク電荷の影響により、得られる放射線画像に不適切なアーチファクトが生じてしまう。
【０００９】
このような問題を解消するために、本願出願人は特許文献１において、ゲートライン４ａ〜４ｅの順に各検出素子１１〜５５から電荷情報が読み出す際に、各ゲートライン毎にオン制御時に出力されるオン制御電荷情報（電荷情報にリーク電荷が重畳した信号値）とオフ制御時に出力されるオフ制御電荷情報（リーク電荷のみの信号値）の両方を取得し、検出素子から読み出されたオン制御電荷情報から、検出素子をオフ制御したときに得られるリーク電荷に係るオフ制御電荷情報を差し引いて補正することにより、リーク電荷に基づくアーチファクトのない良好な放射線画像信号を得ることが可能な装置を提案している。
【先行技術文献】
【特許文献】
【００１０】
【特許文献１】特開２００９−０７４９８８号公報
【発明の概要】
【発明が解決しようとする課題】
【００１１】
しかしながら、特許文献１に記載の装置では、リーク電荷に基づくアーチファクトを補正するために、各検出素子毎にオン制御電荷情報とオフ制御電荷情報の２種類の信号を取得しなければならないため、アーチファクトの補正を行わない場合と比較しておよそ２倍の信号読出時間がかかる。そのため、特に動画撮影時においてはフレームレートを低下させてしまうという問題を生じていた。また、トモシンセシス撮影では撮影完了までの時間、すなわち、患者の拘束時間が長くなってしまうという問題が生じていた。
【００１２】
従って、リーク電荷に基づくアーチファクトを補正する場合であっても、高速に放射線画像信号を取得可能な装置が望まれている。
【００１３】
本発明は、上記事情に鑑みてなされたものであり、リーク電荷に基づくアーチファクトの補正を行う放射線画像処理装置において、高速に放射線画像信号を取得可能な放射線画像処理装置を提供することを目的とするものである。
【課題を解決するための手段】
【００１４】
本発明による第１の放射線画像処理装置は、照射された放射線量に基づいた電荷情報を蓄積容量に蓄積する複数の検出素子が二次元状に配列されるとともに、横列毎に読出しのオンオフ制御がなされ、縦列毎に同一の信号線から電荷情報が読み出される放射線検出器と、検出素子の読出しのオンオフ制御を行なうドライバ回路と、信号線から出力された信号を読み出す読出回路と、オン制御された検出素子から得られるオン制御電荷情報は各検出素子毎に取得するのに対し、オン制御された検出素子に対応するオフ制御電荷情報は所定素子間隔毎に取得するように、ドライバ回路および読出回路を制御する制御手段と、所定素子間隔毎に取得したオフ制御電荷情報に基づいて未取得分のオフ制御電荷情報を補間した素子補間オフ制御電荷情報を生成するとともに、オン制御電荷情報を対応するオフ制御電荷情報もしくは素子補間オフ制御電荷情報により補正する補正回路とを備えてなることを特徴とするものである。
【００１５】
本発明による第２の放射線画像処理装置は、照射された放射線量に基づいた電荷情報を蓄積容量に蓄積する複数の検出素子が二次元状に配列されるとともに、横列毎に読出しのオンオフ制御がなされ、縦列毎に同一の信号線から電荷情報が読み出される放射線検出器と、検出素子の読出しのオンオフ制御を行なうドライバ回路と、信号線から出力された信号を読み出す読出回路と、複数フレームに渡って連続撮影を行なう際に、オン制御された検出素子から得られるオン制御電荷情報は各フレーム毎に取得するのに対し、オン制御された検出素子に対応するオフ制御電荷情報は所定フレーム間隔毎に取得するように、ドライバ回路および読出回路を制御する制御手段と、所定フレーム間隔毎に取得したオフ制御電荷情報に基づいて未取得分のオフ制御電荷情報を補間したフレーム補間オフ制御電荷情報を生成するとともに、オン制御電荷情報を対応するオフ制御電荷情報もしくはフレーム補間オフ制御電荷情報により補正する補正回路とを備えてなることを特徴とするものである。
【００１６】
本発明の第１および第２の放射線画像処理装置において、補正回路は、オフ制御電荷情報および素子補間オフ制御電荷情報に対してスムージング処理を行うとともに、スムージング後のオフ制御電荷情報もしくは素子補間オフ制御電荷情報によりオン制御電荷情報を補正するものとすることが好ましい。
【発明の効果】
【００１７】
本発明の第１の放射線画像処理装置によれば、照射された放射線量に基づいた電荷情報を蓄積容量に蓄積する複数の検出素子が二次元状に配列されるとともに、横列毎に読出しのオンオフ制御がなされ、縦列毎に同一の信号線から電荷情報が読み出される放射線検出器から信号を読み出す際に、オン制御された検出素子から得られるオン制御電荷情報は各検出素子毎に取得するのに対し、オン制御された検出素子に対応するオフ制御電荷情報は所定素子間隔毎に間引いて取得し、所定素子間隔毎に取得したオフ制御電荷情報に基づいて未取得分のオフ制御電荷情報を補間した素子補間オフ制御電荷情報を生成するとともに、オン制御電荷情報を対応するオフ制御電荷情報もしくは素子補間オフ制御電荷情報により補正するようにしたことにより、従来は全検出素子においてオフ制御電荷情報を読み出していたのに対して、間引いて取得した分だけオフ制御電荷情報の読出時間を短縮することができるので、高速に放射線画像信号を取得することが可能となる。
【００１８】
本発明の第２の放射線画像処理装置によれば、照射された放射線量に基づいた電荷情報を蓄積容量に蓄積する複数の検出素子が二次元状に配列されるとともに、横列毎に読出しのオンオフ制御がなされ、縦列毎に同一の信号線から電荷情報が読み出される放射線検出器から信号を読み出す際に、複数フレームに渡って連続撮影を行なう場合は、オン制御された検出素子から得られるオン制御電荷情報は各フレーム毎に取得するのに対し、オン制御された検出素子に対応するオフ制御電荷情報は所定フレーム間隔毎に間引いて取得し、所定フレーム間隔毎に取得したオフ制御電荷情報に基づいて未取得分のオフ制御電荷情報を補間したフレーム補間オフ制御電荷情報を生成するとともに、オン制御電荷情報を対応するオフ制御電荷情報もしくはフレーム補間オフ制御電荷情報により補正するようにしたことにより、従来は全フレームにおいてオフ制御電荷情報を読み出していたのに対して、間引いて取得した分だけオフ制御電荷情報の読出時間を短縮することができるので、高速に放射線画像信号を取得することが可能となる。
【００１９】
本発明の第１および第２の放射線画像処理装置において、補正回路を、オフ制御電荷情報および素子補間オフ制御電荷情報に対してスムージング処理を行うとともに、スムージング後のオフ制御電荷情報もしくは素子補間オフ制御電荷情報によりオン制御電荷情報を補正するものとすれば、ランダムノイズの影響を抑え、より高品質な放射線画像信号を取得することが可能となる。
【図面の簡単な説明】
【００２０】
【図１】本発明の第１の実施の形態に係る放射線画像処理装置の概略構成図
【図２】上記放射線画像処理装置の放射線検出器の概略構成図
【図３】上記放射線検出器を構成する検出素子の等価回路図
【図４】放射線検出器の一画面撮影時における曝射後のリーク電荷の経時特性図（０ｓｅｃ時に曝射）
【図５】放射線検出器に一定の線量を当て続けたときのリーク電荷の経時特性図
【発明を実施するための形態】
【００２１】
以下、本発明の実施の形態について図面を参照して詳細に説明する。図１は本発明の第１の実施の形態に係る放射線画像処理装置の概略構成図、図２は上記放射線画像処理装置の放射線検出器の概略構成図、図３は上記放射線検出器を構成する検出素子の等価回路図である。
【００２２】
本発明の第１の実施の形態に係る放射線画像処理装置１００は、放射線Ｘを被写体１０２に照射する放射線源１０４と、被写体１０２を透過した放射線Ｘが照射されることで被写体１０２の放射線画像情報を電荷情報として検出する放射線検出器１０６とを備える。なお、放射線検出器１０６は、図２および図３に示す放射線検出器２と同一の構成からなる検出素子１１〜５５を有するものとし、以下においては、図２および図３に示す参照符号を使用して説明する。
【００２３】
放射線源１０４は、撮影条件設定部１０８で設定された撮影条件に従い、放射線源制御部１１０によって制御される。なお、撮影条件としては、被写体１０２の撮影部位に応じて放射線源１０４に設定される管電圧、管電流、放射線Ｘの照射時間、これらの条件によって決まる放射線量、放射線Ｘの照射後、放射線検出器１０６から電荷情報を読み出すまでの時間等が設定される。
【００２４】
放射線検出器１０６には、読出制御回路１１２を介してゲートドライバ回路１１４および信号読出回路１１６が接続される。ゲートドライバ回路１１４は、読出制御回路１１２からの制御信号に従い、放射線検出器１０６を構成する行方向に配列された検出素子１１〜５５のゲートライン４ａ〜４ｅを選択し、信号読出回路１１６は、読出制御回路１１２からの制御信号に従い、列方向に配列された検出素子１１〜５５の信号ライン６ａ〜６ｅを選択する。
【００２５】
信号読出回路１１６には、各検出素子１１〜５５から読み出された電荷情報に対して、放射線検出器１０６に放射線Ｘを照射していない状態で各検出素子１１〜５５から出力される電荷情報であるオフセット信号の分を補正するオフセット補正回路１１８が接続される。なお、各検出素子１１〜５５のオフセット信号は、撮影前に予め取得しておくものとする。
【００２６】
オフセット補正回路１１８には、各検出素子１１〜５５から得られる電荷信号（オン制御電荷情報）をリーク電荷信号（オフ制御電荷情報）を用いて補正するリーク補正回路１２０が接続される。
【００２７】
リーク補正回路１２０には、補正された電荷信号を放射線画像信号として記憶する放射線画像信号記憶部１２４が接続され、放射線画像信号記憶部１２４には、表示制御回路１２６によって制御されることで放射線画像を表示する表示部１２８が接続される。
【００２８】
本実施の形態の放射線画像処理装置１００は、基本的には以上のように構成されるものであり、次にその動作について説明する。
【００２９】
まず、図４は放射線検出器の一画面撮影時における曝射後のリーク電荷の経時特性図（０ｓｅｃ時に曝射したもの）である。次に、撮影条件設定部１０８を用いて、放射線源１０４の管電圧、管電流、放射線Ｘの照射時間、放射線Ｘの照射後、放射線検出器１０６から電荷信号を読み出すまでの時間等の撮影条件が設定される。
【００３０】
次に、放射線源制御部１１０は、撮影条件設定部１０８で設定した撮影条件に従って放射線源１０４を駆動し、放射線Ｘを被写体１０２に照射することで撮影を行う。被写体１０２を透過した放射線Ｘは、放射線検出器１０６を構成する各検出素子１１〜５５に照射される。検出素子１１〜５５のａ−Ｓｅ等からなる変換層９には、放射線Ｘが照射されることで放射線画像情報に応じた正負の電荷が発生する。発生した電荷のうち、正電荷は、負電圧が印加されている共通電極８に移動して消滅し、負電荷は、画素電極１０によって収集され、蓄積容量Ｃに蓄積される。
【００３１】
撮影条件に基づく被写体１０２に対する放射線Ｘの照射が終了すると、読出制御回路１１２は、放射線画像信号の取得を開始する。
【００３２】
放射線画像信号の取得開始時は全ての検出素子１１〜５５を構成するトランジスタスイッチＴｒはオフ状態であり、この状態から読出制御回路１１２はゲートドライバ回路１１４を介してゲートライン４ａを選択する。
【００３３】
ゲートドライバ回路１１４は、選択されたゲートライン４ａに接続されている検出素子１１〜１５を構成するトランジスタスイッチＴｒをオン状態に遷移させるゲート電圧Ｖｇをゲート端子に印加する一方、信号読出回路１１６は、選択された検出素子１１〜１５を構成するトランジスタスイッチＴｒの１つを選択し、そのドレイン端子より蓄積容量Ｃに蓄積された負電荷である電荷信号をＧａｔｅＯｎ信号として読み出す。読み出されたＧａｔｅＯｎ信号は、トランジスタスイッチＴｒがオン状態に遷移されているときのオフセット信号分がオフセット補正回路１１８によって補正される。なお、ＧａｔｅＯｎ信号に対するオフセット信号は、放射線Ｘが放射線検出器１０６に照射されていない状態において、当該検出素子１１〜５５をオン状態として予め取得されているものとする。
【００３４】
次に、選択されたゲートライン４ａに接続されている検出素子１１〜１５を構成するトランジスタスイッチＴｒをオフ状態に遷移させ、その直後の状態で得られる電荷信号を、選択されたゲートライン４ａに対する各信号ライン６ａ〜６ｅ毎のＧａｔｅＯｆｆ信号として読み出す。読み出されたＧａｔｅＯｆｆ信号からは、トランジスタスイッチＴｒがオフ状態に遷移されているときのオフセット信号分がオフセット補正回路１１８によって補正される。なお、ＧａｔｅＯｆｆ信号に対するオフセット信号は、放射線Ｘが放射線検出器１０６に照射されていない状態において、当該検出素子１１〜５５の全てをオフ状態として予め取得されているものとする。
【００３５】
以後、従来であればゲートライン４ｂから４ｅまで順に、各ゲートラインに接続されている検出素子を構成するトランジスタスイッチＴｒについてオン状態とオフ状態とを切り替えながら、各ゲートライン毎にＧａｔｅＯｎ信号およびＧａｔｅＯｆｆ信号を取得するが、本実施の形態ではＧａｔｅＯｆｆ信号については２ライン毎に取得するようにしている。すなわち、ゲートライン４ａでＧａｔｅＯｆｆ信号を取得した場合は、その後ゲートライン４ｃ、４ｅでＧａｔｅＯｆｆ信号を取得する。なお、ＧａｔｅＯｆｆ信号を取得するラインについては、２ライン毎に限定されるものではなく、３ライン以上毎に取得するようにしてもよい。
【００３６】
そして、ＧａｔｅＯｆｆ信号を取得していないラインについては、その前後のＧａｔｅＯｆｆ信号を取得したラインのＧａｔｅＯｆｆ信号に基づいて補間した補間ＧａｔｅＯｆｆ信号を生成する。本実施の形態においては、ゲートライン４ｂ、４ｄにおいて補間ＧａｔｅＯｆｆ信号が生成されることになる。なお、このときの補間処理については、線形補間処理を用いてもよいし、スプライン補間等の非線形補間処理を用いてもよい。
【００３７】
また、図４に示すように、同一の信号ラインから出力されるリーク電荷量（図４ではリーク電荷量と一義的に対応するアーチファクト信号成分として表示）は、時間の経過ともに減衰し、いずれ０に収束する特性を示すため、このような特性を考慮して、補間を行なうようにしてもよい。
【００３８】
以上の手順により、放射線検出器１０６の一画面分のＧａｔｅＯｎ信号およびＧａｔｅＯｆｆ信号（補間ＧａｔｅＯｆｆ信号を含む）が取得できることから、ＧａｔｅＯｎ画像信号およびＧａｔｅＯｆｆ画像信号が生成でき、ＧａｔｅＯｎ画像信号からリーク電荷信号に係るＧａｔｅＯｆｆ画像信号を差し引くことにより、アーチファクトが現れることのない適切な放射線画像を得ることができる。
【００３９】
このとき、ＧａｔｅＯｆｆ画像信号については、主副メディアンや移動平均処理等のスムージング処理を施すことにより、ランダムノイズの影響を抑えることができる。
【００４０】
以上のような構成とすることにより、ＧａｔｅＯｆｆ信号の取得時間を従来と比較して短縮できるため、高速に放射線画像信号を取得することが可能となる。
【００４１】
次に、本発明の第２の実施の形態について説明する。まず、図５は一般的なＸ線検出器に一定の線量を当て続けたときのリーク電荷の経時特性図である。このグラフは、一般的なＴＦＴ型Ｘ線検出器に放射線が当たり続けると、はじめのうちは同一の信号ラインから出力されるリーク電荷量（図５ではリーク電荷量と一義的に対応するアーチファクト信号成分として表示）は増加するが、時間とともにほぼ一定の値に飽和するという特性があることを示している。
【００４２】
本実施の形態は上記第１の実施の形態と比較して、ゲートライン毎にＧａｔｅＯｆｆ信号の取得を間引くのではなく、複数フレームに渡って連続撮影を行なう際に、フレーム毎にＧａｔｅＯｆｆ画像信号の取得を間引くように変更した点が異なる。なお、ＧａｔｅＯｆｆ画像信号とは一画面分のＧａｔｅＯｆｆ信号を意味する。
【００４３】
装置の構成については上記第１の実施の形態と同様であるため説明を省略する。
【００４４】
複数フレームに渡って連続撮影を行なう際に、従来であれば各フレーム毎にＧａｔｅＯｎ画像信号およびＧａｔｅＯｆｆ画像信号を取得するが、本実施の形態ではＧａｔｅＯｆｆ画像信号については２フレーム毎に取得するようにしている。すなわち、１フレーム目でＧａｔｅＯｆｆ画像信号を取得した場合は、その後３、５、７・・・フレーム目でＧａｔｅＯｆｆ画像信号を取得する。なお、ＧａｔｅＯｆｆ画像信号を取得するフレームについては、２フレーム毎に限定されるものではなく、３フレーム以上毎に取得するようにしてもよい。
【００４５】
そして、ＧａｔｅＯｆｆ画像信号を取得していないフレームについては、その前後のＧａｔｅＯｆｆ画像信号を取得したフレームのＧａｔｅＯｆｆ画像信号に基づいて補間した補間ＧａｔｅＯｆｆ画像信号を生成する。本実施の形態においては、２、４、６・・・フレーム目において補間ＧａｔｅＯｆｆ画像信号が生成されることになる。なお、このときの補間処理については、線形補間処理を用いてもよいし、スプライン補間等の非線形補間処理を用いてもよい。
【００４６】
また、例えば、Ｘ線源からは一定の線量の放射線を曝射し、放射線検出器側で一定の時間間隔（固定フレーム間隔）で画像を読み出すよう制御して被写体のＸ線動画を得るＸ線動画撮影において、図５に示すように、複数フレームに渡って連続撮影を行なう際に、同一の信号ラインから出力されるリーク電荷量（図５ではリーク電荷量と一義的に対応するアーチファクト信号成分として表示）は、時間の経過ともに増加し、いずれ飽和する特性を示すことを考慮して、ＧａｔｅＯｆｆ信号を取得するタイミングを制御してもよい。すなわち、撮影開始直後はＧａｔｅＯｆｆ信号をＧａｔｅＯｎ信号取得後に必ず取得しておき、その後ＧａｔｅＯｆｆ信号の取得間隔（時間間隔で）を徐々に間引くよう制御する。そして、最終的にリーク電流が完全に飽和したと判断されたら、ＧａｔｅＯｆｆ信号の取得を全く行わない。これにより、撮影（曝射）開始から時間が経過するとともにフレームレートの高い被写体の動画を取得することが可能となる。このような制御は、線量や撮影対象・所望のフレームレート・パネルの種類等によって決定される制御方法を予め記憶させた読取制御条件保存部（図示しない）を図１の読み出し回路１１２と接続し、撮影条件が決定されたときに決定され、実施されるシステムが考えられる。さらに、Ｘ線源からの曝射が所望のフレーム毎に間欠的に行われる動画撮影システムでは、図４のＸ線が曝射されないときのリーク電荷量の減少と図５の曝射時のリーク電荷量の増分から制御方法を決定しておいてもよい。
【００４７】
以上の手順により、各フレーム毎に放射線検出器１０６のＧａｔｅＯｎ画像信号およびＧａｔｅＯｆｆ画像信号（補間ＧａｔｅＯｆｆ画像信号を含む）が取得でき、各フレーム毎にＧａｔｅＯｎ画像信号からリーク電荷信号に係るＧａｔｅＯｆｆ画像信号もしくは補間ＧａｔｅＯｆｆ画像信号を差し引くことにより、アーチファクトが現れることのない適切な放射線画像を得ることができる。
【００４８】
このとき、ＧａｔｅＯｆｆ画像信号（補間ＧａｔｅＯｆｆ画像信号を含む）については、主副メディアンや移動平均処理等のスムージング処理を施すことにより、ランダムノイズの影響を抑えることができる。
【００４９】
また、複数フレーム連続で撮影を行なうと、いずれリーク電荷量は飽和してほとんど変化しなくなることから、例えば連続撮影後半でＧａｔｅＯｆｆ画像信号の取得を間引くフレームを多くする等、連続撮影中に間引くフレーム数を変更するようにしてもよい。
【００５０】
以上のような構成とすることにより、ＧａｔｅＯｆｆ信号の取得時間を従来と比較して短縮できるため、高速に放射線画像信号を取得することが可能となる。
【００５１】
以上、本発明の放射線画像処理装置について詳細に説明したが、本発明は上記実施の形態に限定されるものではない。
【００５２】
例えば、上記第１の実施の形態と第２の実施の形態とを組み合わせるようにしてもよい。すなわち、複数フレームに渡って連続撮影を行なう際に、フレーム毎にＧａｔｅＯｆｆ信号の取得を間引くようした上で、さらにＧａｔｅＯｆｆ信号の取得を行なうフレームにおいて、ゲートライン毎にＧａｔｅＯｆｆ信号の取得を間引くようにしてもよい。
【００５３】
また、上記以外にも、本発明の要旨を逸脱しない範囲において、各種の改良や変形を行なってもよいのは勿論である。
【符号の説明】
【００５４】
１１〜５５  検出素子
１００  放射線画像処理装置
１０２  被写体
１０４  放射線源
１０６  放射線検出器
１０８  撮影条件設定部
１１２  読出制御回路
１１４  ゲートドライバ回路
１１６  信号読出回路
１１８  オフセット補正回路
１２０  リーク補正回路
１２４  放射線画像信号記憶部
１２６  表示制御回路
１２８  表示部
【図１】
2011214886.tif 000003
【図２】
2011214886.tif 000004
【図３】
2011214886.tif 000005
【図４】
2011214886.tif 000006
【図５】
2011214886.tif 000007